【手続補正書】
【提出日】平成17年4月13日(2005.4.13)
【手続補正１】
【補正対象書類名】明細書
【補正対象項目名】００２２
【補正方法】変更
【補正の内容】
【００２２】
図１に概略的に示され、また図２に詳細に示されているように、符号６０により総括的に示されている軸受保護装置又はアセンブリは、シャフト１８により担持されて、作動空気ファンアセンブリ２２とモータ１２との間に介在されている。ナット６２が、作動空気ファン２６をシャフト１８の一端に固定している。ファンワッシャ６４が、ナット６２とファン２６の下側ファンディスクブレードとの間に介在されている。したがって、シャフト１８が回転すると、作動空気ファン２６は同一方向に回転する。軸受６３は、当業界でよく知られている手段でシャフト１８に装架されている。この軸受６３は、作動中におけるシャフト１８の滑らかで自由な回転を保証する働きをなす。軸受６３と作動空気ファン２６との間にはシャフト１８に沿って軸受保護装置６０の種々の要素、すなわち、作動空気ファンにより動かされる、水分を乗せている空気がシャフト又は他の接続部材に沿って移動できないようにし、これにより軸受６３の作動を妨害できないようにすることを保証する要素が介在されている。すなわち、ファンワッシャ６４が作動空気ファン２６とナット６２との間に配置されている。また、シャフトワッシャ６６が作動空気ファン２６の下側に配置されて作動空気ファンに対して構造的支持を与えている。更に、スペーサ６８がシャフトワッシャ６６と軸受６３の内周部との間に配置されている。このスペーサ６８は、シャフト１８に圧入されてシャフトスペーサ６６と軸受６３との間に捕捉され、モータ１２が作動されたときにはシャフト１８と一緒に回転することを認識されよう。もし水分を乗せている作動空気がファン２６により排出されない場合には、おそらく、水分を乗せている作動空気はファンの下側とディフューザ２８との間に蓄積するであろう。したがって、この実施例においては、水分の移動がシャフト１８の外径部ではなくてスペーサ６８の外径部に沿って行われる。
【手続補正２】
【補正対象書類名】明細書
【補正対象項目名】００２５
【補正方法】変更
【補正の内容】
【００２５】
符号１００により総括的に示されているシールは、空所９０内に配置されて、ディフューザクランプリング７４とエンドブラケットリング８４との間に保持又は捕捉されている。シール１００は、好適には、ダブリュ．エル．ゴア  アンド  アソシエイツ（Ｗ．Ｌ．Ｇｏｒｅ  ａｎｄ  Ａｓｓｏｃｉａｔｅｓ）により製造されて商標名ゴア−テックス（Ｇｏｒｅ−Ｔｅｘ：登録商標）で販売されている発砲ポリテトラフルオロエチレン（Ｅ−ＰＴＦＥ）のような材料から作られている。シール１００は、回転部品を囲むように用いられているシールと協同するような潤滑油が備えられていないので、ドライである。図３に最も良く示されているように、シール１００は比較的平らな片１０２から成り、平らな片１０２はこの片を貫通している穴１０４を有する。シール１００は、また、外径部１０６と内径部１０８とを有し、内径部１０８は典型的にスペーサ外径部７８よりもわずかに小さい。このような内径部は、スペーサ６８のまわりに締りばめ又は摩擦ばめを作る。内径部１０８は、ダイカット（穿孔）、レーザカット又は高圧水カットの手段により形成される。当業者であれば、内径部１０８はスペーサ外径部と同心でなければならず、これにより内径部１０８とスペーサ外径部、シャフト又はシャフトを囲繞する部品との間に隙間が形成されないことを認識されよう。シール１００は、リング７４とリング８４との間の分離よりも大きい厚さ１１０を有することができる。当業者であれば、Ｅ−ＰＴＦＥシールは変形することなしに高い温度を吸収することができ、これにより、シャフトの回転がシールのシール特性に悪く影響しないことを認識されよう。更に、この材料は非常に弾性があり、この材料に加えられる種々の応力及びひずみに耐えることができる。もし厚さ１１０がリング７４とリング８４との間の間隔よりもわずかに大きい場合には、シールの外周部はシールがこれらのリング間に捕捉されたときに多少圧縮されるであろう。これは、ディフューザ隙間８０及びブラケット隙間８８内へのシール内周部の膨張及びそれ故スペーサとの更なる係合を生じせしめる。これは、また、シールの内径部とスペーサの外径部との間の締りばめを容易にする。リング８４の下側には支持ワッシャ１１４が配置され、この支持ワッシャ１１４は軸受６３の外周部又は外側レースに配置されている支持ワッシャクッション１１６により支持されている。
【手続補正３】
【補正対象書類名】明細書
【補正対象項目名】００２８
【補正方法】変更
【補正の内容】
【００２８】
ベースブラケット１４４は、軸受１３８の外径部又は外側レースを保持する。軸受１３８の内側レースはシャフト１８に対して押圧されている。より詳細には、ベースブラケット１４４は、軸受１３８の外径部のかなりの部分を取り囲むハブ内面１４８を有しているハブ１４６を包含する。ハブ１４６は、シャフト１８との間に隙間１５０を形成する。ハブ１４６は、また、ハブ外面１５２と、内向きに延びているハブリム１５４とを有している。複数の支持クッション１５５をハブリム１５４の下側部と軸受１３８の外周部との間に介在することができる。シール１００は、支持部材として機能するハブリム１５４上に配置されている。スチールワッシャ１５８は、シール１００に同心的に配置されている。シール１００及びワッシャ１５８を捕捉するために、保持部材として機能するクランピングキャップ１６０がシール１００及びワッシャ１５８にわたって配置されている。このクランピングキャップ１６０は、ハブ外面１５２よりもわずかに小さい内径を持つ側部１６２を有する。クランピングキャップは、側部１６２から実質的に垂直に延びているフラット部材１６４を包含し、フラット部材１６４はこのフラット部材を貫通して延びている穴１６６を有し、この穴１６６はシャフト１８の外径部よりも大きい。クランピングキャップ１６０はワッシャ１５８及びシール１００を所定位置に固定し、これにより、シール１００の内径部はスペーサ１３２の外径部と一致する。換言すれば、キャップ１６０はハブ１４６に圧入されて、シール１００及びワッシャ１５８を所定位置に保持せしめる。ワッシャ１５８は、シール外周部の締付け及び圧縮を助けるために平らで均一な表面を有している。このスチールワッシャ１５８は必要とされない場合もあることを認識されよう。この実施例は、前述した実施例とは、支持構造が多少異なるけれども、本質的に同じように作用する。
【手続補正４】
【補正対象書類名】明細書
【補正対象項目名】００２９
【補正方法】変更
【補正の内容】
【００２９】
次に図５を参照するに、更に他の実施例が示されており、この実施例においては支持ワッシャ及びキャップが設けられていない。この実施例においては、ベースブラケット１４４のみがシール１００及びメタルワッシャ１５８をクランプするために用いられており、そのハブリム１５４が保持部材として機能する。メタルワッシャ１５８は、この実施例において、支持部材として機能する。シール１００は、その内径部とスペーサ１３２の外径部との間の締まりばめを増強せしめるために多少圧することができる。
【手続補正５】
【補正対象書類名】明細書
【補正対象項目名】００３０
【補正方法】変更
【補正の内容】
【００３０】
本発明の概念は、また、細長い内側レースを有している軸受を使用するモータアセンブリに適用することができる。図６に最も良く示されているように、軸受１３８はシャフト１８に配置されて、細長い内側レース１３９の端がスペーサエンド１３４に接触する。ハブ１４６は、前述した実施例と同じように、軸受１３８を捕捉している。この実施例において、ハブリム１５４は軸受１３８に対してシール１００及びワッシャ１５８を捕捉している。より詳細には、シール１００の内径部は細長い内側レース１３９の外径部に接触する。したがって、スペーサ１２８及び細長い内側レース１３９に接触する、水分を乗せている空気はシール１００により追い払われる。この実施例において、図５の実施例と同様に、ハブリム１５４が保持部材として機能し、またメタルワッシャ１５８が支持部材として機能する。
【手続補正６】
【補正対象書類名】明細書
【補正対象項目名】００３１
【補正方法】変更
【補正の内容】
【００３１】
次に図７を参照するに、更に他の例の軸受保護装置が符号１７０により総括的に示されている。この軸受保護装置１７０は、モータ整流子の近くのモータシャフトの反対側の端に用いられる。したがって、シャフト１８はモータハウジング１７２を貫通して延びている。軸受１７４は、シャフト１８の外径部に圧入されている。支持部材として機能するベースブラケット１７８はハウジング１７２に取付けられて、軸受１７４を捕捉している。このベースブラケット１７８は、また、段１８２を包含し、段１８２はこの段を貫通して延びているブラケット穴１８４を有する。段１８２と軸受１７４の外径部との間には支持クッション１８６が配置されている。シール１００は段１８２の外面上に配置され、その内径部はシャフト１８の外径部に対して直接配置されている。
【手続補正７】
【補正対象書類名】明細書
【補正対象項目名】００３２
【補正方法】変更
【補正の内容】
【００３２】
保持部材として機能するクランピングキャップ１６０は、ベースブラケット１７８、より詳細には、段１８２に配置されている。このクランピングキャップ１６０は、シール１００の厚さを多少圧縮することができ、これによりシールの内径部は前述したようにシャフト１８の外径部を一致する。
【手続補正８】
【補正対象書類名】図面
【補正対象項目名】図４
【補正方法】変更
【補正の内容】
【図４】
2003314697.tif 000001
【手続補正９】
【補正対象書類名】図面
【補正対象項目名】図５
【補正方法】変更
【補正の内容】
【図５】
2003314697.tif 000002
【手続補正１０】
【補正対象書類名】図面
【補正対象項目名】図６
【補正方法】変更
【補正の内容】
【図６】
2003314697.tif 000003